(57)【要約】【課題】送電線を強制的に屈曲させて曲げ応力を付与することで短時間のうちに送電線に付着している固着物を細かく割って完全に剥がし落とすことができると共に、小サイズの送電線、急傾斜地における送電線であっても、固着物の除去作業を安全で且つ効率良く行うことができる、電線粉塵除去装置とこの装置を使用した電線粉塵除去方法を提供する。【解決手段】左右一対の下部金車（２ａ，２ｂ）と、下部金車（２ａ，２ｂ）の中央上側に配した上部金車２ｃを備え、下部金車（２ａ，２ｂ）と上部金車２ｃにより送電線Ｐを挟持し、下部金車（２ａ，２ｂ）の左右いずれかの側に取り付けた牽引ロープ４ａにより左右いずれかの側の下部金車（２ａ，２ｂ）を下方に引っ張りながら下部金車（２ａ，２ｂ）と上部金車２ｃを送電線Ｐに沿って移動させ、送電線Ｐに曲げ応力を付与して送電線Ｐに付着している固着物を除去する。【選択図】図７
2007104772.tif 000002
【特許請求の範囲】
【請求項１】
左右一対の下部金車と、下部金車の中央上側に配した上部金車を備え、下部金車と上部金車により送電線を挟持し、下部金車の左右いずれかの側に取り付けた牽引ロープにより左右いずれかの側の下部金車を下方に引っ張りながら下部金車と上部金車を送電線に沿って移動させ、送電線に曲げ応力を付与して送電線に付着している固着物を除去することを特徴とする電線粉塵除去装置。
【請求項２】
送電線への曲げ応力は、牽引ロープにより左右いずれかの側の下部金車を下方に引っ張り、上部金車を送電線の上面に強く当接させ、他の下部金車により送電線を上方に持ち上げ、送電線が部分的に屈曲して生じる請求項１に記載の電線粉塵除去装置。
【請求項３】
左右の下部金車を一対の水平フレームにより回転可能に保持し、上部金車を回転可能に保持している垂直プレートを一方の水平フレームに固定して金車フレーム体を構成している請求項１または２に記載の電線粉塵除去装置。
【請求項４】
垂直プレートの上端から一方の水平フレームにかけて枠状のアームを固定し、他方の水平フレームに枠状の回動アームを取り付けている請求項１乃至３のいずれかに記載の電線粉塵除去装置。
【請求項５】
回動アームは、水平位置から垂直位置に回動可能であり、水平位置においては金車フレーム体の開放状態となり、垂直位置においては金車フレーム体の閉鎖状態となる請求項１乃至４のいずれかに記載の電線粉塵除去装置。
【請求項６】
垂直プレートは、回動アームの垂直位置において金車フレーム体の閉鎖状態を維持するロック装置を備えている請求項１乃至５のいずれかに記載の電線粉塵除去装置。
【請求項７】
金車フレーム体の下方に、粉塵受袋を取り付けた請求項１乃至６のいずれかに記載の電線粉塵除去装置。
【請求項８】
牽引ロープを取り付けている金車フレーム体の他端に、金車フレーム体の暴走阻止用のロープを取り付けている請求項１乃至７のいずれかに記載の電線粉塵除去装置。
【請求項９】
左右一対の下部金車と、下部金車の中央上側に配した上部金車を備えた金車フレーム体を、下部金車と上部金車により送電線を挟持するように送電線に装着し、下部金車の左右いずれかの側に取り付けた牽引ロープにより左右いずれかの側の下部金車を下方に引っ張りながら金車フレーム体を送電線に沿って移動させ、送電線に曲げ応力を付与して送電線に付着している固着物を除去することを特徴とする電線粉塵除去方法。
【請求項１０】
送電線への曲げ応力は、牽引ロープにより左右いずれかの側の下部金車を下方に引っ張り、上部金車を送電線の上面に強く当接させ、他の下部金車により送電線を上方に持ち上げ、送電線が部分的に屈曲して生じる請求項９に記載の電線粉塵除去方法。
【請求項１１】
送電線への金車フレーム体の装着は、垂直プレートのロック装置を解除して回動アームを垂直位置から水平位置に回動させ、下部金車と上部金車により送電線を挟持するように金車フレーム体を送電線に装着する請求項９または１０に記載の電線粉塵除去方法。
【請求項１２】
送電線への金車フレーム体の装着は、回動アームを水平位置から垂直位置に回動させ、垂直プレートのロック装置により金車フレーム体の閉鎖状態を維持している請求項１１に記載の電線粉塵除去方法。
【請求項１３】
地上にいる作業員が、金車フレーム体に取り付けた牽引ロープを下方に引っ張りながら金車フレーム体を送電線に沿って移動させる請求項９乃至１２のいずれかに記載の電線粉塵除去方法。
【請求項１４】
地上にいる他の作業員が、金車フレーム体に取り付けた暴走阻止用のロープを引っ張り、金車フレーム体の暴走を阻止している請求項９乃至１３のいずれかに記載の電線粉塵除去方法。
【請求項１５】
地上にいる作業員が、金車フレーム体に取り付けた暴走阻止用のロープを下方に引っ張りながら金車フレーム体を送電線に沿って移動させ、地上にいる他の作業員が、金車フレーム体に取り付けた牽引ロープを引っ張り、金車フレーム体の暴走を阻止している請求項９乃至１３のいずれかに記載の電線粉塵除去方法。
【請求項１６】
金車フレーム体に取り付けた粉塵受袋により、送電線から除去した粉塵を受けながら金車フレーム体を送電線に沿って移動させる請求項９乃至１５のいずれかに記載の電線粉塵除去方法。
【発明の詳細な説明】
【技術分野】
【０００１】
本発明は、鉄塔間に架設されている送電線に付着している粉塵等の固着物を除去するために使用する、電線粉塵除去装置とこの装置を使用した電線粉塵除去方法に関するものである。
【背景技術】
【０００２】
一般的に、鉄塔間に架設されている送電線の両側には、電気絶縁のためのガイシが装備されている。そして、図９に示すように、送電線が設置されている周囲環境の影響を受けて、当該ガイシ間の送電線に、粉塵等の異物が付着して固化した状態となる。
【０００３】
このような送電線に付着した粉塵等の固着物をそのまま放置しておくと、固着物の堆積度が次第に増して、送電線自体の単位重量が異状に増加してしまう。
【０００４】
その結果、送電線の引張強度と支持物設計強度の安全率が低下してしまい、送電線が断線したり、支持物が倒壊してしまう危険性があった。
【０００５】
このような送電線の断線や、支持物の倒壊等を防止するためには、鉄塔間に架設されている送電線に付着している固着物を除去する必要がある。
【０００６】
送電線に付着している固着物の具体的な除去手法としては、例えば、図１０・図１１に示すように、ロープを連結した金車やローラを送電線に載置し、作業員が地上でロープを引いたり振ることで、送電線の表面を金車等により掻き削るようにして、送電線に付着している固着物を除去する手法が存在する。
【０００７】
また、従来において、このような送電線に付着している固着物を効率良く除去するために、送電線に曲げ応力を付与することで、当該送電線に付着している固着物を割るようにして除去する手法も存在する。
【０００８】
すなわち、図１２・図１３に示すように、送電線に装着した宙乗器に作業員が乗り込み、作業員自らの手によって宙乗器を送電線に沿って移動させ、作業員と宙乗器の自重により送電線を強制的に曲げることで、送電線に付着している固着物を割りながら剥がし落とすのである。このとき、宙乗器に乗っている作業員は、必要に応じて棒や刷毛等を使用して固着物を除去していた。
【特許文献１】特になし
【発明の開示】
【発明が解決しようとする課題】
【０００９】
しかしながら、送電線に付着している固着物を除去する従来の手法においては、以下のような弊害が生じていた。
【００１０】
すなわち、ロープを連結した金車やローラを送電線に載置する手法においては、作業員が地上でロープを引いたり振ったりしても、送電線の上面側の固着物を金車等により掻き削るだけであって、送電線の下面側に付着している固着物の除去が不可能であり、送電線に付着している固着物を完全に除去することができなかった。しかも、金車やローラ等が暴走してしまう事態が発生する等して、固着物の除去作業に時間を要していた。
【００１１】
また、宙乗器を使用する手法においては、作業員と宙乗器の自重によって送電線を強制的に曲げることで、送電線に付着している固着物を割って除去したり、あるいは、棒や刷毛等を使用して固着物を除去することは可能であるが、小サイズの送電線では作業員や宙乗器の荷重により断線の危険性があり、また、急傾斜地に電柱等を介して架設されている送電線では、宙乗器が暴走してしまう危険性があった。
【００１２】
そこで、本発明は如上のような従来存した諸事情に鑑み創出されたもので、送電線を強制的に屈曲させて曲げ応力を付与することで短時間のうちに送電線に付着している固着物を細かく割って完全に剥がし落とすことができると共に、小サイズの送電線、急傾斜地における送電線であっても、固着物の除去作業を安全で且つ効率良く行うことができる、電線粉塵除去装置とこの装置を使用した電線粉塵除去方法を提供することを目的とする。
【課題を解決するための手段】
【００１３】
本発明に係る電線粉塵除去装置にあっては、左右一対の下部金車と、下部金車の中央上側に配した上部金車を備え、下部金車と上部金車により送電線を挟持し、下部金車の左右いずれかの側に取り付けた牽引ロープにより左右いずれかの側の下部金車を下方に引っ張りながら下部金車と上部金車を送電線に沿って移動させ、送電線に曲げ応力を付与して送電線に付着している固着物を除去することで、上述した課題を解決した。
【００１４】
また、送電線への曲げ応力は、牽引ロープにより左右いずれかの側の下部金車を下方に引っ張り、上部金車を送電線の上面に強く当接させ、他の下部金車により送電線を上方に持ち上げ、送電線が部分的に屈曲して生じることで、同じく上述した課題を解決した。
【００１５】
さらに、左右の下部金車を一対の水平フレームにより回転可能に保持し、上部金車を回転可能に保持している垂直プレートを一方の水平フレームに固定して金車フレーム体を構成していることで、同じく上述した課題を解決した。
【００１６】
また、垂直プレートの上端から一方の水平フレームにかけて枠状のアームを固定し、他方の水平フレームに枠状の回動アームを取り付けていることで、同じく上述した課題を解決した。
【００１７】
加えて、回動アームは、水平位置から垂直位置に回動可能であり、水平位置においては金車フレーム体の開放状態となり、垂直位置においては金車フレーム体の閉鎖状態となることで、同じく上述した課題を解決した。
【００１８】
また、垂直プレートは、回動アームの垂直位置において金車フレーム体の閉鎖状態を維持するロック装置を備えていることで、同じく上述した課題を解決した。
【００１９】
この他、金車フレーム体の下方に、粉塵受袋を取り付けたことで、同じく上述した課題を解決した。
【００２０】
また、牽引ロープを取り付けている金車フレーム体の他端に、金車フレーム体の暴走阻止用のロープを取り付けていることで、同じく上述した課題を解決した。
【００２１】
一方、本発明に係る電線粉塵除去装置を使用した電線粉塵除去方法にあっては、左右一対の下部金車と、下部金車の中央上側に配した上部金車を備えた金車フレーム体を、下部金車と上部金車により送電線を挟持するように送電線に装着し、下部金車の左右いずれかの側に取り付けた牽引ロープにより左右いずれかの側の下部金車を下方に引っ張りながら金車フレーム体を送電線に沿って移動させ、送電線に曲げ応力を付与して送電線に付着している固着物を除去することで、同じく上述した課題を解決した。
【００２２】
また、送電線への曲げ応力は、牽引ロープにより左右いずれかの側の下部金車を下方に引っ張り、上部金車を送電線の上面に強く当接させ、他の下部金車により送電線を上方に持ち上げ、送電線が部分的に屈曲して生じることで、同じく上述した課題を解決した。
【００２３】
さらに、送電線への金車フレーム体の装着は、垂直プレートのロック装置を解除して回動アームを垂直位置から水平位置に回動させ、下部金車と上部金車により送電線を挟持するように金車フレーム体を送電線に装着することで、同じく上述した課題を解決した。
【００２４】
また、送電線への金車フレーム体の装着は、回動アームを水平位置から垂直位置に回動させ、垂直プレートのロック装置により金車フレーム体の閉鎖状態を維持していることで、同じく上述した課題を解決した。
【００２５】
加えて、地上にいる作業員が、金車フレーム体に取り付けた牽引ロープを下方に引っ張りながら金車フレーム体を送電線に沿って移動させることで、同じく上述した課題を解決した。
【００２６】
また、地上にいる他の作業員が、金車フレーム体に取り付けた暴走阻止用のロープを引っ張り、金車フレーム体の暴走を阻止していることで、同じく上述した課題を解決した。
【００２７】
この他、地上にいる作業員が、金車フレーム体に取り付けた暴走阻止用のロープを下方に引っ張りながら金車フレーム体を送電線に沿って移動させ、地上にいる他の作業員が、金車フレーム体に取り付けた牽引ロープを引っ張り、金車フレーム体の暴走を阻止していることで、同じく上述した課題を解決した。
【００２８】
また、金車フレーム体に取り付けた粉塵受袋により、送電線から除去した粉塵を受けながら金車フレーム体を送電線に沿って移動させることで、同じく上述した課題を解決した。
【発明の効果】
【００２９】
本発明によれば、送電線を強制的に屈曲させて曲げ応力を付与することで、送電線に付着している固着物を短時間のうちに細かく割って送電線から剥がし落とすことができると共に、小サイズの送電線、急傾斜地における送電線であっても、固着物の除去作業を安全で且つ効率良く行うことができる。
【００３０】
すなわち、本発明にかかる電線粉塵除去装置は、左右一対の下部金車と、下部金車の中央上側に配した上部金車を備え、下部金車と上部金車により送電線を挟持し、下部金車の左右いずれかの側に取り付けた牽引ロープにより左右いずれかの側の下部金車を下方に引っ張りながら下部金車と上部金車を送電線に沿って移動させ、送電線に曲げ応力を付与して送電線に付着している固着物を除去することができる。
【００３１】
この送電線への曲げ応力は、牽引ロープにより左右いずれかの側の下部金車を下方に引っ張り、上部金車を送電線の上面に強く当接させ、他の下部金車により送電線を上方に持ち上げ、送電線が部分的に屈曲して生じるものである。このような送電線の部分的な屈曲により、送電線に付着している固着物が細かく割られ、送電線から剥がれ落ちるのである。
【００３２】
また、左右の下部金車を一対の水平フレームにより回転可能に保持し、上部金車を回転可能に保持している垂直プレートを一方の水平フレームに固定して金車フレーム体を構成しているので、下部金車と上部金車を備えた金車フレーム体の硬牢性を維持することができる。
【００３３】
さらに、垂直プレートの上端から一方の水平フレームにかけて枠状のアームを固定し、他方の水平フレームに枠状の回動アームを取り付けていることから、回動アームの位置を変えることにより、下部金車と上部金車により送電線を挟持するようにして、金車フレーム体を送電線に簡単に装着することができ、また、送電線から金車フレーム体を外すことも容易である。
【００３４】
すなわち、回動アームは、水平位置から垂直位置に回動可能であり、水平位置においては金車フレーム体の開放状態となり、金車フレーム体を送電線に簡単に装着することができる。
【００３５】
また、回動アームの垂直位置においては金車フレーム体の閉鎖状態となり、この垂直プレートは、回動アームの垂直位置において金車フレーム体の閉鎖状態を維持するロック装置を備えているので、金車フレーム体を送電線に沿って移動させている際中に、送電線から金車フレーム体が脱落してしまう事態の発生を確実に防止することができる。
【００３６】
さらに、金車フレーム体の下方に、粉塵受袋を取り付けたので、金車フレーム体の移動に伴って送電線から剥がれ落ちた固着物を、地上に落下させずに粉塵受袋内に容易に回収することができる。
【００３７】
また、牽引ロープを取り付けている金車フレーム体の他端に、金車フレーム体の暴走阻止用のロープを取り付けているので、急な傾斜地においても、金車フレーム体が暴走してしまう事態の発生を確実に防止し、送電線に付着している固着物の除去作業を安全に行うことができる。
【００３８】
一方、本発明に係る電線粉塵除去装置を使用した電線粉塵除去方法によれば、左右一対の下部金車と、下部金車の中央上側に配した上部金車を備えた金車フレーム体を、下部金車と上部金車により送電線を挟持するように送電線に装着し、下部金車の左右いずれかの側に取り付けた牽引ロープにより左右いずれかの側の下部金車を下方に引っ張りながら金車フレーム体を送電線に沿って移動させ、送電線に曲げ応力を付与して送電線に付着している固着物を除去するので、送電線に付着している固着物を短時間のうちに細かく割って送電線から剥がし落とすことができると共に、小サイズの送電線、急傾斜地における送電線であっても、固着物の除去作業を安全で且つ効率良く行うことができる。
【００３９】
このとき、送電線への曲げ応力は、牽引ロープにより左右いずれかの側の下部金車を下方に引っ張り、上部金車を送電線の上面に強く当接させ、他の下部金車により送電線を上方に持ち上げ、送電線が部分的に屈曲して生じるので、送電線に対して曲率半径が極めて小さな局部的な屈曲を実現して、送電線に付着している固着物が細かく割られ、送電線から剥がれ落ちるのである。
【００４０】
また、送電線への金車フレーム体の装着は、垂直プレートのロック装置を解除して回動アームを垂直位置から水平位置に回動させ、下部金車と上部金車により送電線を挟持するように金車フレーム体を送電線に装着するので、送電線に対する金車フレーム体の装着が容易である。
【００４１】
そして、送電線への金車フレーム体の装着は、回動アームを水平位置から垂直位置に回動させ、垂直プレートのロック装置により金車フレーム体の閉鎖状態を維持しているので、金車フレーム体を送電線に沿って移動させている際中に、送電線から金車フレーム体が脱落してしまう事態の発生を確実に防止して、固着物の除去作業を安全に行うことができる。
【００４２】
さらに、地上にいる作業員が、金車フレーム体に取り付けた牽引ロープを下方に引っ張りながら金車フレーム体を送電線に沿って移動させるので、上部金車が送電線の上面に強く当接し、他の下部金車により送電線が上方に持ち上げられて、送電線が部分的に屈曲する。
【００４３】
すなわち、上部金車を支点として金車フレーム体が斜めに傾いた状態で送電線に沿って移動することとなり、これによって、送電線に対して曲率半径が極めて小さな局部的な屈曲を実現して、送電線に付着している固着物が細かく割られ、送電線から剥がれ落ちるのである。
【００４４】
また、地上にいる他の作業員が、金車フレーム体に取り付けた暴走防止用のロープを引っ張り、金車フレーム体の暴走を阻止しているので、急な傾斜地においても、金車フレーム体が暴走してしまう事態の発生を確実に防止し、送電線に付着している固着物の除去作業を安全に行うことができる。
【００４５】
加えて、金車フレーム体を送電線に沿って移動させ、終点の位置まで来たときに、送電線に付着している固着物を完全に除去できていないときは、金車フレーム体を元の位置に再度移動させながら、送電線に付着している固着物の除去作業を継続して行う。
【００４６】
このとき、地上にいる作業員が、金車フレーム体に取り付けた暴走阻止用のロープを下方に引っ張りながら金車フレーム体を送電線に沿って移動させ、送電線に曲げ応力を付与して送電線に付着している固着物を除去することができる。
【００４７】
また、地上にいる他の作業員が、金車フレーム体に取り付けた牽引ロープを引っ張り、金車フレーム体の暴走を阻止しているので、送電線に付着している固着物の除去作業を安全に行うことができる。
【００４８】
さらに、金車フレーム体に取り付けた粉塵受袋により、送電線から除去した粉塵を受けながら金車フレーム体を送電線に沿って移動させるので、金車フレーム体の移動に伴って送電線から剥がれ落ちた固着物を、地上に落下させずに粉塵受袋内に容易に回収することができる。
【発明を実施するための最良の形態】
【００４９】
以下に、本発明を実施するための最良の形態を、図面を参照して説明する。
【００５０】
本発明は、送電線Ｐに付着している粉塵等の固着物を除去するために使用する電線粉塵除去装置である。この電線粉塵除去装置は、金車フレーム体１により概ね構成されている。
【００５１】
金車フレーム体１は、図１乃至図３に示すように、左右一対の下部金車（２ａ，２ｂ）と、当該下部金車（２ａ，２ｂ）の中間位置から若干上側に配した単一の上部金車２ｃを備え、下部金車（２ａ，２ｂ）と上部金車２ｃとの間に、送電線Ｐを挟み込めるように構成している。
【００５２】
すなわち、金車フレーム体１は、図４・図５に示すように、アングル材によって形成された一対の水平フレーム（１ａ，１ｂ）のそれぞれを平行に配置し、中央の連結ボルト６を介して、一対の水平フレーム（１ａ，１ｂ）を所定の間隔を開けて連結している。また、両フレーム（１ａ，１ｂ）の左右両端側も、連結ボルト６を介して固定されている。
【００５３】
そして、一対の水平フレーム（１ａ，１ｂ）の間において、下部金車（２ａ，２ｂ）が、金車軸ボルト・ナット３を介して回転可能に支承されている。
【００５４】
また、図４・図５に示すように、一対の水平フレーム（１ａ，１ｂ）の左右両端部に、牽引ロープ４ａ、金車フレーム体１の暴走阻止用のロープ４ｂをそれぞれに取り付けるための、牽引用シャックル５が形成されている。この牽引用シャックル５は、略Ｕ字形に形成されている。そして、このＵ字両端部で一対の水平フレーム（１ａ，１ｂ）を下側から挟み込み、両フレーム（１ａ，１ｂ）を左右両端側で連結しているアイボルト状の連結ボルト６を介して牽引用シャックル５が固定されている。
【００５５】
さらに、一対の水平フレーム（１ａ，１ｂ）の外側面におけるそれぞれの左右両端部に、リング状の粉塵受袋取付金具７がそれぞれ取り付けられている。そして、図６に示すように、一対の水平フレーム（１ａ，１ｂ）の下方に、箱形袋状に形成された粉塵受袋９が取り付けられる。この粉塵受袋９の取り付けは、粉塵受袋９の上部開口縁側における４つの角部にそれぞれ設けたフック８を、粉塵受袋取付金具７にそれぞれ連結することにより行う。
【００５６】
また、図４・図５に示すように、一方の水平フレーム１ｂの中央上側には、上端にリング状の手提げ金具２０を備えた縦長の垂直プレート１ｃが固定されている。この垂直プレート１ｃは、前記下部金車（２ａ，２ｂ）の中央に位置し、上部金車２ｃが回転可能に支承されている。具体的には、図１・図３・図５に示すように、垂直プレート１ｃの片面中央位置と、上端からＬ字状に延びる前枠との間に、単一の上部金車２ｃを、金車軸ボルト・ナット３を介して回転可能に支承している。
【００５７】
これらの各金車（２ａ，２ｂ，２ｃ）は、図１・図２に示すように、三角形の３つの頂点に位置し、左右一対の下部金車（２ａ，２ｂ）と中央上側の上部金車２ｃにより、送電線Ｐを上下方向から挟持させている。
【００５８】
これにより、図７に示すように、牽引ロープ４ａにより一方の下部金車２ａを下方に引っ張り、上部金車２ｃを送電線Ｐの上面に強く当接させ、他方の下部金車２ｂにより送電線Ｐを上方に持ち上げ、送電線Ｐが部分的に屈曲して曲げ応力が生じるものである。
【００５９】
この他、図１・図２に示すように、垂直プレート１ｃの上端から一方の水平フレーム１ｂにかけて枠状のアーム１８を固定し、他方の水平フレーム１ａに回動アーム１２を取り付けている。回動アーム１２は、図４に示すように、水平位置から垂直位置に回動可能であり、水平位置においては金車フレーム体１の開放状態となる。また、図５に示すように、垂直位置においては金車フレーム体１の閉鎖状態となる。さらに、垂直プレート１ｃは、回動アーム１２の垂直位置において、金車フレーム体１の閉鎖状態を維持するロック装置１３を備えている。
【００６０】
回動アーム１２の取り付けは、図４・図５に示すように、正面側の水平フレーム１ａの外側面における左右両端部にアイボルト状の支持金具１１を設置し、この支持金具１１のそれぞれに、略台形状に折曲した枠状の回動アーム１２の両端部を枢着して、回動アーム１２が水平状態から垂直状態に回動できるようにしてある。一方、垂直状態の回動アーム１２と平行となるように、水平フレーム１ｂに、略台形状に折曲したアーム１８が固定されている。
【００６１】
回動アーム１２の中央上端に位置する水平箇所は、図４・図５に示すように、ロック装置１３によってロックされる掛架部１２ａとなっており、この掛架部１２ａには、回動アーム１２が垂直状態に回動した際に、前記手提げ金具２０の内側に挿入されるよう、Ｕ字形枠状のアーム部１２ｂが横向きに折曲した状態に形成されている。
【００６２】
また、垂直プレート１ｃは、図４・図５に示すように、金車フレーム体１の閉鎖状態を維持するロック装置１３を備えている。すなわち、このロック装置１３は、前記回動アーム１２の掛架部１２ａを引っ掛けるために、垂直プレート１ｃの上端における左右の位置に突設した一対のフック片１４を備えている。このフック片１４は、上端にＵ溝２１を設けている。
【００６３】
さらに、垂直プレート１ｃにおける、両フック片１４の間の上側寄りには、先端部が若干上方に折曲した板状の引っ掛け片部１５を備えている。そして、図５に示すように、回動アーム１２の掛架部１２ａをフック片１４のＵ溝２１に引っ掛けた状態で、フック片１４よりも下側に設けたレバー式バックル構造によるリング状のバックル１６を引っ掛け片部１５に上方から引っ掛ける。その後、レバー１７を下方に倒して固定することで、回動アーム１２の掛架部１２ａが垂直プレート１ｃのＵ溝２１に係止されるようにしてある。こうして、金車フレーム体１の閉鎖状態がロック装置１３により維持され、送電線Ｐに装着している金車フレーム体１が脱落してしまう事態の発生を確実に防止している。
【００６４】
次に、以上のように構成された電線粉塵除去装置について、使用・動作の一例を説明する。
【００６５】
先ず、送電線Ｐの送電を停止し、検電して無電圧を確認してから接地を付ける。
【００６６】
次に、作業員は送電線Ｐに宙乗りして、図４に示すように、金車フレーム体１のロック装置１３におけるレバー１７を上げて引っ掛け片部１５からバックル１６を外し、フック片１４から回動アーム１２の掛架部１２ａを外して回動アーム１２を水平状態にし、金車フレーム体１を開放状態にする。
【００６７】
そして、送電線Ｐに金車フレーム体１を装着する。このとき、左右一対の下部金車（２ａ，２ｂ）と中央上側の上部金車２ｃによって送電線Ｐを上下方向から挟持させる。その後、図５に示すように、回動アーム１２の掛架部１２ａをフック片１４のＵ溝２１に引っ掛け、手提げ金具２０の内側に回動アーム１２のアーム部１２ｂを進入させる。この状態において、バックル１６を引っ掛け片部１５に引っ掛け、レバー１７を下方に倒して固定する。
【００６８】
また、図６に示すように、粉塵受袋９のフック８を、粉塵受袋取付金具７に連結する。
【００６９】
次に、図７に示すように、地上にいる作業員により、金車フレーム体１の下部金車２ａ寄りに取り付けた牽引ロープ４ａを下方に引っ張る。すると、上部金車２ｃが送電線Ｐの上面に強く当接し、上部金車２ｃを支点として金車フレーム体１が傾き、下部金車２ａが送電線Ｐから離れた状態になる。これと同時に、他方の下部金車２ｂが送電線Ｐを上方に持ち上げ、上部金車２ｃと下部金車２ｂにより送電線Ｐを部分的に屈曲させる。
【００７０】
また、図７に示すように、地上にいる他の作業員は、金車フレーム体１の下部金車２ｂ寄りに取り付けた暴走阻止用のロープ４ｂを引っ張り、金車フレーム体１が暴走しない程度に保持する。
【００７１】
この状態で金車フレーム体１を、送電線Ｐに沿って移動させる。すると、図８（ａ）（ｂ）に示すように、送電線Pに付着している固着物が、送電線Ｐの部分的な屈曲により細かく割れて、送電線Ｐから剥がれ落ちる。
【００７２】
具体的には、図８（ｃ）に示すように、上部金車２ｃを支点として金車フレーム体１が傾き、下部金車２ａが送電線Ｐから離れた状態になり、他方の下部金車２ｂは送電線Ｐを上方に持ち上げ、上部金車２ｃと下部金車２ｂにより送電線Ｐを部分的に屈曲させるのである。
【００７３】
この場合の送電線Ｐの屈曲による曲率半径は、約６００ｍｍ程度となることが好ましい。こうして金車フレーム体１の移動により、送電線Ｐを部分的に屈曲させて、送電線Ｐに付着している固着物を除去するのである。
【００７４】
一方、金車フレーム体1を送電線Ｐに沿って移動させ、送電線Ｐの終点の位置まで来たときに、送電線Ｐに付着している固着物を完全に除去できていないときは、金車フレーム体１を元の位置に再度移動させながら、送電線Ｐに付着している固着物の除去作業を継続して行う。
【００７５】
このとき、地上にいる作業員は、図８（ｄ）に示すように、金車フレーム体１に取り付けた暴走阻止用のロープ４ｂを下方に引っ張りながら金車フレーム体１を送電線Ｐに沿って移動させる。
【００７６】
すると、図８（ｄ）に示すように、上部金車２ｃを支点として金車フレーム体１が傾き、下部金車２ｂが送電線Ｐから離れた状態になり、他方の下部金車２ａは送電線Ｐを上方に持ち上げ、上部金車２ｃと下部金車２ａにより送電線Ｐを部分的に屈曲させ、送電線Ｐに付着している固着物を除去するのである。
【００７７】
このときにも、必要に応じて、地上にいる他の作業員が、金車フレーム体１に取り付けた牽引ロープ４ａを引っ張り、金車フレーム体１の暴走を阻止している。
【産業上の利用可能性】
【００７８】
本発明は、大小サイズの送電線Ｐ、急傾斜地における送電線Ｐを問わず、種々の送電線Ｐの固着物を除去するための電線粉塵除去装置とこの装置を使用した電線粉塵除去方法として、種々の工事に広く用いることができる。
【図面の簡単な説明】
【００７９】
【図１】電線粉塵除去装置を構成する金車フレーム体の正面図である。
【図２】電線粉塵除去装置を構成する金車フレーム体の背面図である。
【図３】電線粉塵除去装置を構成する金車フレーム体の側面図である。
【図４】金車フレーム体のロック装置を解除し、回動アームを水平状態にして金車フレーム体を開放状態にしている状態を示す斜視図である。
【図５】下部金車と上部金車により送電線を挟持するようにして金車フレーム体を送電線に装着し、回動アームを垂直位置に回動させてロック装置により金車フレーム体の閉鎖状態を維持している状態を示す斜視図である。
【図６】金車フレーム体の下方に、粉塵受袋を取り付けた状態を示す斜視図である。
【図７】金車フレーム体の使用状態の一例を示す説明図である。
【図８】金車フレーム体により固着物を除去する際の動作原理を示し、（ａ）は固着物を除去する前の送電線の状態を示す説明図、（ｂ）は送電線を屈曲させて固着物を細かく割って剥がし落としている状態を示す説明図、（ｃ）は上部金車を支点として金車フレーム体が傾き、上部金車（２ｃ）と下部金車（２ｂ）により送電線を部分的に屈曲させながら金車フレーム体が送電線に沿って移動している状態を示す説明図、（ｄ）は上部金車を支点として金車フレーム体が傾き、上部金車（２ｃ）と下部金車（２ａ）により送電線を部分的に屈曲させさせながら金車フレーム体が送電線に沿って逆方向に移動している状態を示す説明図である。
【図９】固着物が存在しない正常な送電線の状態と、ガイシ間の送電線に粉塵等の異物が付着して固化している状態を示す説明図である。
【図１０】ロープを連結した金車やローラを送電線に載置し、作業員が地上でロープを引いたり振ることで、送電線に付着している固着物を除去している状態を示す説明図である。
【図１１】図１０における金車やローラと、送電線に付着している固着物の接触状態を示す要部拡大の説明図である。
【図１２】送電線に装着した宙乗器に作業員が乗り込み、作業員と宙乗器の自重により送電線を強制的に曲げ、送電線に付着している固着物を除去している状態を示す説明図である。
【図１３】図１２における宙乗器と送電線に付着している固着物の接触状態を示す要部拡大の説明図である。
【符号の説明】
【００８０】
Ｐ…送電線
１…金車フレーム体
１ａ…水平フレーム
１ｂ…水平フレーム
１ｃ…垂直プレート
２ａ…下部金車
２ｂ…下部金車
２ｃ…上部金車
３…金車軸ボルト・ナット
４ａ…牽引ロープ
４ｂ…暴走阻止用のロープ
５…牽引用シャックル
６…連結ボルト
７…粉塵受袋取付金具
８…フック
９…粉塵受袋
１１…支持金具
１２…回動アーム
１２ａ…掛架部
１２ｂ…アーム部
１３…ロック装置
１４…フック片
１５…引っ掛け片部
１６…バックル
１７…レバー
１８…アーム
２０…手提げ金具
２１…Ｕ溝
【図１】
2007104772.tif 000003
【図２】
2007104772.tif 000004
【図３】
2007104772.tif 000005
【図４】
2007104772.tif 000006
【図５】
2007104772.tif 000007
【図６】
2007104772.tif 000008
【図７】
2007104772.tif 000009
【図８】
2007104772.tif 000010
【図９】
2007104772.tif 000011
【図１０】
2007104772.tif 000012
【図１１】
2007104772.tif 000013
【図１２】
2007104772.tif 000014
【図１３】
2007104772.tif 000015